(57)【特許請求の範囲】
【請求項１】
奥側の壁面と手前側の壁面との間に適宜間隔ごとに設けられている間柱があって、この間柱にそれぞれ固定される一対の固定片と、この一対の固定片どうしを連結する連結片とよりなる固定部材を設け、この固定部材が、手前側の壁面に形成された取付穴より挿入可能に形成されているとともに、同固定部材が上記間柱どうしの間に取り付け固定されてから、同固定部材に住宅用部材が後付けされてなり、連結片が、間柱どうしの間の寸法よりも長く形成されているものであるとともに、同固定片に対して、連結片が、角度可変に取り付けられているものであることを特徴とする住宅用部材の後付け構造。
【請求項２】
上記連結片と上記固定片との継ぎ目部分において、同連結片が、同固定片に対して回動できるようになしたものであることを特徴とする請求項１記載の住宅用部材の後付け構造。
【請求項３】
上記連結片が、１ないし複数の切欠部を有しているものであり、この切欠部に固定具を通すようにして手摺りや収納箱体などの住宅用部材が取り付けられるようになしたことを特徴とする請求項１又は２に記載の住宅用部材の後付け構造。
【発明の詳細な説明】
【０００１】
【発明の属する技術分野】
本発明は、住宅用部材の後付け構造に関し、さらに詳しくは、施工現場にて手摺りや収納箱体といったような住宅用部材を後付けするのに有用な住宅用部材の後付け構造に関するものである。
【０００２】
【従来の技術】
従来の住宅用部材の後付け構造としては、例えば、図１９の（ａ）、（ｂ）および図２０に示すごとく、手摺り（１３）のような住宅用部材（９）を取り付ける際には、奥側の壁面（１１）と手前側の壁面（１２）との間に有る壁内の間柱（１５）を探し出し、この間柱（１５）にブラケット（１４）のベースとなるブラケット留めつけ板（２２）をビス体（２３）により固定し、そのブラケット留めつけ板（２２）に上記ブラケット（１４）を固定していたものが知られていた。
【０００３】
また、奥側の壁面（１１）と手前側の壁面（１２）との間に有る壁内の間柱（１５）を利用する以外に、図２１の（ａ）、（ｂ）および図２２の（ａ）に示すごとく、手前側の壁面（１２）に穴をあけて図２２の（ｂ）に示すようなスポンジ（２０）に樹脂を注入し、この樹脂を注入したスポンジ（２０）にビス体（２３）によりブラケット（１４）を介して手摺り（１３）のような住宅用部材（９）を固定する方法も最近は見受けられるようになっているものである。
【０００４】
【発明が解決しようとする課題】
しかしながら、このような住宅用部材の後付け構造においては、まず、図１９および図２０に示す場合であると、仕上げ後の強度を高く維持することができるものの、奥側の壁面（１１）と手前側の壁面（１２）との間に有る壁内の間柱（１５）を探すのに、手で叩いて音の違いで見分けたり、あるいは、間柱センサーで見分けるなどしなければならず、間柱（１５）を探すのが非常に手間となっていたものであり、現場での施工が面倒であった。また、ブラケット留めつけ板（２２）をビス体（２３）により固定していたために、施工の仕上がり後、外観上でブラケット留めつけ板（２２）が目立ち、非常に見苦しいものであった。
【０００５】
そして、図２１および図２２に示す場合であると、ブラケット留めつけ板（２２）がないために、仕上げ後の外観がすっきりしているものの、手前側の壁面（１２）に穴をあけて、スポンジ（２０）を挿入後、同スポンジ（２０）に樹脂を注入したものが用いられているために、このようなスポンジ（２０）にビス体（２３）によりブラケット（１４）を介して手摺り（１３）のような住宅用部材（９）を固定するとなると、スポンジ（２０）自体の強度は樹脂の注入によりある程度上げられているものの、手摺り（１３）のような住宅用部材（９）を固定する強度としては充分には得られず、非常に弱いものであった。
【０００６】
本発明は、上述の事実に鑑みて為されたものであって、その目的とするところは、住宅用部材を後付けにて取り付ける際に、現場での施工が簡単でありながら、仕上げ後の外観が良くて、強度を高く維持することができる住宅用部材の後付け構造を提供することを目的とする。
【００１０】
【課題を解決するための手段】
奥側の壁面と手前側の壁面との間に適宜間隔ごとに設けられている間柱があって、この間柱にそれぞれ固定される一対の固定片と、この一対の固定片どうしを連結する連結片とよりなる固定部材を設け、この固定部材が、手前側の壁面に形成された取付穴より挿入可能に形成されているとともに、同固定部材が上記間柱どうしの間に取り付け固定されてから、同固定部材に住宅用部材が後付けされてなり、連結片が、間柱どうしの間の寸法よりも長く形成されているものであるとともに、同固定片に対して、連結片が、角度可変に取り付けられているものであることを特徴とする。
【００１１】
本発明の請求項２に係る住宅用部材の後付け構造は、上記連結片（２）と上記固定片（１）との継ぎ目部分（１７）において、同連結片（２）が、同固定片（１）に対して回動できるようになしたものであることを特徴とする。
【００１２】
本発明の請求項３に係る住宅用部材の後付け構造は、上記連結片（２）が、１ないし複数の切欠部（７）を有しているものであり、この切欠部（７）に固定具（８）を通すようにして手摺り（１３）や収納箱体などの住宅用部材（９）が取り付けられるようになしたことを特徴とする。
【００１３】
【発明の実施の形態】
以下、本発明の実施の形態を図面を参照しながら詳しく説明する。
【００１４】
図１の（ａ）は、本発明の一実施形態に係る住宅用部材の後付け構造の外観を示した正面図であり、図１の（ｂ）は、本発明の一実施形態に係る住宅用部材の後付け構造を示した断面図である。図２は、本発明の一実施形態に係る住宅用部材の後付け構造を示した断面図である。
【００１５】
また、図１２は、本発明の他の一実施形態に係る住宅用部材の後付け構造において、取付穴に固定部材が挿入される際の様子を示した正面図である。図１３は、本発明の他の一実施形態に係る住宅用部材の後付け構造において、固定部材の両方の固定片が間柱に取り付け固定される際の様子を示した正面図である。図１６は、本発明の住宅用部材の後付け構造に用いられる他の一実施形態に係る固定部材を示した正面図である。図１７は、本発明の住宅用部材の後付け構造に用いられる他の一実施形態に係る固定部材を示した側面図である。図１８は、本発明の住宅用部材の後付け構造に用いられる一実施形態に係る合板を示した正面図である。
【００１６】
本発明の住宅用部材の後付け構造は、図１、図２、図１２、図１３、図１６ないし図１８に示すごとく、奥側の壁面（１１）と手前側の壁面（１２）との間に適宜間隔ごとに設けられている間柱（１５）があって、この間柱（１５）にそれぞれ固定される一対の固定片（１）と、この一対の固定片（１）どうしを連結する連結片（２）とよりなる固定部材（３）を設け、この固定部材（３）が、手前側の壁面（１２）に形成された取付穴（４）より挿入可能に形成されているとともに、同固定部材（３）が上記間柱（１５）どうしの間に取り付け固定されてから、同固定部材（３）に住宅用部材（９）が後付けされてなっているものである。
【００１７】
上記間柱（１５）は、図１の（ａ）および（ｂ）に示すごとく、奥側の壁面（１１）と手前側の壁面（１２）との間に適宜間隔ごとに設けられているものである。すなわち、この間柱（１５）としては、奥側の壁面（１１）と手前側の壁面（１２）との間のいわゆる壁内に位置して設けられているものである。
【００１９】
上記連結片（２）は、図１の（ｂ）、図１２、図１３、図１６および図１７に示すごとく、上記一対の固定片（１）どうしを連結しているものである。この連結片（２）の形状としては、上記一対の固定片（１）どうしを連結しているものであれば、特に制限されるものではなく、例えば、同図に示されているような長方形状のようなものが採用されているものである。本発明では、この連結片（２）と上記一対の固定片（１）とによって固定部材（３）を形成しているものである。
【００２８】
また、図１２および図１３、図１６および図１７に示すごとく、上記連結片（２）が、上記間柱（１５）どうしの間の寸法よりも長く形成されているものであるとともに、同固定片（１）に対して、上記連結片（２）が、角度可変に取り付けられているものであると、固定片（１）に対して角度可変に取り付けられている連結片（２）により、間柱（１５）どうしの間隔に応じて住宅用部材（９）を後付けにて取り付ける際に、固定部材（３）の一対の固定片（１）どうしの角度を斜めにしたりして変えながら、固定部材（３）の一対の固定片（１）を間柱（１５）にそれぞれ確実に取り付け固定することができて、非常に好ましいものである。
【００２９】
しかも、図１２および図１３、図１６および図１７に示すごとく、上記連結片（２）と上記固定片（１）との継ぎ目部分（１７）において、同連結片（２）が、同固定片（１）に対して回動できるようになしたものであると、間柱（１５）どうしの間隔に応じて住宅用部材（９）を後付けにて取り付ける際に、連結片（２）と固定片（１）との継ぎ目部分（１７）で連結片（２）が固定片（１）に対して回動させることで、固定部材（３）の一対の固定片（１）どうしの角度を斜めにしたりして自由自在に変えながら、固定部材（３）の一対の固定片（１）を間柱（１５）にそれぞれより一層確実に取り付け固定することができて、非常に好ましいものである。
【００３０】
このような図１３などに示すごとき場合の住宅用部材の後付け構造を構成するにあたって、具体的な施工の仕方を説明すると、まず、図１２に示すごとく、手前側の壁面（１２）にブラケットで隠れる程度の径の取付穴（４）を開け、次いで、連結片（２）と一対の固定片（１）とによって形成されている固定部材（３）を挿入するものである。その後、図１３に示すごとく、固定片（１）に対して連結片（２）を回転させて間柱（１５）に押し付け固定するものである。なお、このとき、両方の固定片（１）には、両面テープ、接着剤などの粘着層（１６）があらかじめそれぞれ取り着けられているものであり、この粘着層（１６）によって、両方の固定片（１）は間柱（１５）にそれぞれ押し付け固定されるものである。
【００３２】
さらに、図１２及び図１６に示すごとく、上記連結片（２）が、１ないし複数の切欠部（７）を有しているものであり、この切欠部（７）に固定具（８）を通すようにして手摺り（１３）や収納箱体などの住宅用部材（９）が取り付けられるようになしているものであると、このような１ないし複数の切欠部（７）が存在することで、固定具（８）を通すようにして手摺り（１３）や収納箱体などの住宅用部材（９）が非常に簡単に取り付けられるようになり、結果として、現場での施工としてはより一層確実に簡単なものとなる。
【００３３】
なお、上述したような図１６に示すごとき上記連結片（２）と上記固定片（１）との継ぎ目部分（１７）において、同連結片（２）が、同固定片（１）に対して回動できるようになしたものである場合、単に円形状の１ないし複数の切欠部（７）を設けてもかまわないし、連結片（２）の強度を高く維持するのに切欠部（７）の中に中心円板（６）を設け、この中心円板（６）を繋ぐように繋ぎ板（５）を設けるような形態に形成してもかまわないものである。
【００３４】
本発明の住宅用部材の後付け構造によると、図１、図２、図１２、図１３、図１６ないし図１８に示すごとく、奥側の壁面（１１）と手前側の壁面（１２）との間に適宜間隔ごとに設けられている間柱（１５）があって、この間柱（１５）にそれぞれ固定される一対の固定片（１）と、この一対の固定片（１）どうしを連結する連結片（２）とよりなる固定部材（３）を設け、この固定部材（３）が、手前側の壁面（１２）に形成された取付穴（４）より挿入可能に形成されているとともに、同固定部材（３）が上記間柱（１５）どうしの間に取り付け固定されてから、同固定部材（３）に住宅用部材（９）が後付けされてなるので、住宅用部材（９）を後付けにて取り付ける際に、手前側の壁面（１２）に形成された取付穴（４）より連結片（２）と一対の固定片（１）とによって形成されている固定部材（３）を挿入させてから、この固定部材（３）の一対の固定片（１）を間柱（１５）にそれぞれ取り付け固定し、次いで、同固定部材（３）に住宅用部材（９）が後付けされるだけで施工が完結するものであり、従来のように間柱（１５）を探す必要がなく、作業者にとっての現場での施工が非常に簡単であり、しかも、一対の固定片（１）を間柱（１５）にそれぞれ取り付け固定しているために、固定部材（３）を介して同間柱（１５）により荷重を受け持たせることができて、その結果、非常に大きな強度が得られるようになるものである。
【００３５】
すなわち、本発明は、住宅用部材（９）を後付けにて取り付ける際に、現場での施工が簡単でありながら、仕上げ後の外観が良くて、強度を高く維持することができるものである。
【００３６】
【発明の効果】
本発明の請求項１に係る住宅用部材の後付け構造によると、住宅用部材（９）を後付けにて取り付ける際に、手前側の壁面（１２）に形成された取付穴（４）より連結片（２）と一対の固定片（１）とによって形成されている固定部材（３）を挿入させてから、この固定部材（３）の一対の固定片（１）を間柱（１５）にそれぞれ取り付け固定し、次いで、同固定部材（３）に住宅用部材（９）が後付けされるだけで施工が完結するものであり、従来のように間柱（１５）を探す必要がなく、作業者にとっての現場での施工が非常に簡単であり、しかも、一対の固定片（１）を間柱（１５）にそれぞれ取り付け固定しているために、固定部材（３）を介して同間柱（１５）により荷重を受け持たせることができて、その結果、非常に大きな強度が得られるようになるものである。
【００３７】
すなわち、本発明は、住宅用部材（９）を後付けにて取り付ける際に、現場での施工が簡単でありながら、仕上げ後の外観が良くて、強度を高く維持することができるものである。
【００４０】
さらに、固定片（１）に対して角度可変に取り付けられている連結片（２）により、間柱（１５）どうしの間隔に応じて住宅用部材（９）を後付けにて取り付ける際に、固定部材（３）の一対の固定片（１）どうしの角度を斜めにしたりして変えながら、固定部材（３）の一対の固定片（１）を間柱（１５）にそれぞれ確実に取り付け固定することができて、非常に好ましいものである。
【００４１】
本発明の請求項２に係る住宅用部材の後付け構造によると、請求項１記載の場合に加えて、間柱（１５）どうしの間隔に応じて住宅用部材（９）を後付けにて取り付ける際に、連結片（２）と固定片（１）との継ぎ目部分（１７）で連結片（２）が固定片（１）に対して回動させることで、固定部材（３）の一対の固定片（１）どうしの角度を斜めにしたりして自由自在に変えながら、固定部材（３）の一対の固定片（１）を間柱（１５）にそれぞれより一層確実に取り付け固定することができて、非常に好ましいものである。
【００４２】
本発明の請求項３に係る住宅用部材の後付け構造によると、請求項１及び２記載の場合に加えて、このような１ないし複数の切欠部（７）が存在することで、固定具（８）を通すようにして手摺り（１３）や収納箱体などの住宅用部材（９）が非常に簡単に取り付けられるようになり、結果として、現場での施工としてはより一層確実に簡単なものとなる。
【図面の簡単な説明】
【図１】（ａ）は、本発明の一実施形態に係る住宅用部材の後付け構造の外観を示した正面図であり、（ｂ）は、本発明の一実施形態に係る住宅用部材の後付け構造を示した断面図である。
【図２】本発明の一実施形態に係る住宅用部材の後付け構造を示した断面図である。
【図３】本発明の住宅用部材の後付け構造に用いられる一実施形態に係る固定部材が間柱に取り付けられている様子を示した斜視図である。
【図４】本発明の一実施形態に係る住宅用部材の後付け構造において、取付穴に固定部材が挿入される際の様子を示した正面図である。
【図５】本発明の一実施形態に係る住宅用部材の後付け構造において、固定部材の一方の固定片が間柱に取り付け固定される際の様子を示した正面図である。
【図６】図５の様子を示した断面図である。
【図７】本発明の一実施形態に係る住宅用部材の後付け構造において、固定部材の一方 の固定片とは反対側に位置する他方の固定片が間柱に取り付け固定される際の様子を示した正面図である。
【図８】図７の様子を示した断面図である。
【図９】本発明の一実施形態に係る住宅用部材の後付け構造において、取付穴に合板が取り付けられる様子を示した正面図である。
【図１０】図９の様子を示した断面図である。
【図１１】本発明の一実施形態に係る住宅用部材の後付け構造において、住宅用部材が取り付けられている様子を示した概略図である。
【図１２】本発明の他の一実施形態に係る住宅用部材の後付け構造において、取付穴に固定部材が挿入される際の様子を示した正面図である。
【図１３】本発明の他の一実施形態に係る住宅用部材の後付け構造において、固定部材の両方の固定片が間柱に取り付け固定される際の様子を示した正面図である。
【図１４】本発明の住宅用部材の後付け構造に用いられる一実施形態に係る固定部材を示した正面図である。
【図１５】本発明の住宅用部材の後付け構造に用いられる一実施形態に係る固定部材を示した側面図である。
【図１６】本発明の住宅用部材の後付け構造に用いられる他の一実施形態に係る固定部材を示した正面図である。
【図１７】本発明の住宅用部材の後付け構造に用いられる他の一実施形態に係る固定部材 を示した側面図である。
【図１８】本発明の住宅用部材の後付け構造に用いられる一実施形態に係る合板を示した正面図である。
【図１９】（ａ）は、一従来例に係る住宅用部材の後付け構造の外観を示した正面図であり、（ｂ）は、一従来例に係る住宅用部材の後付け構造を示した断面図である。
【図２０】一従来例に係る住宅用部材の後付け構造を示した断面図である。
【図２１】（ａ）は、他の一従来例に係る住宅用部材の後付け構造の外観を示した正面図であり、（ｂ）は、他の一従来例に係る住宅用部材の後付け構造を示した断面図である。
【図２２】（ａ）は、他の一従来例に係る住宅用部材の後付け構造を示した断面図であり、（ｂ）は、この従来例に係る住宅用部材の後付け構造に用いられる樹脂充填スポンジを示した斜視図である。
【符号の説明】
１    固定片
２    連結片
２ａ  第１の連結片
２ｂ  第２の連結片
３    固定部材
４    取付穴
７    切欠部
８    固定具
９    住宅用部材
１１  奥側の壁面
１２  手前側の壁面
１５  間柱
１７  継ぎ目部分
【図１】
0003750625.tif 000002
【図２】
0003750625.tif 000003
【図３】
0003750625.tif 000004
【図４】
0003750625.tif 000005
【図５】
0003750625.tif 000006
【図６】
0003750625.tif 000007
【図７】
0003750625.tif 000008
【図８】
0003750625.tif 000009
【図９】
0003750625.tif 000010
【図１０】
0003750625.tif 000011
【図１１】
0003750625.tif 000012
【図１２】
0003750625.tif 000013
【図１３】
0003750625.tif 000014
【図１４】
0003750625.tif 000015
【図１５】
0003750625.tif 000016
【図１６】
0003750625.tif 000017
【図１７】
0003750625.tif 000018
【図１８】
0003750625.tif 000019
【図１９】
0003750625.tif 000020
【図２０】
0003750625.tif 000021
【図２１】
0003750625.tif 000022
【図２２】
0003750625.tif 000023